(57)【要約】【課題】車両のＩ／Ｆと通信端末とが通信するために用いられるプロトコルを、通信端末とＷｅｂサーバとが通信するためのプロトコルに一致させることを可能とする。【解決手段】第１のプロトコルに基づく通信により車両１０から取得された前記車両１０を診断するために用いられる車両情報を、第２のプロトコルであるＨＴＴＰ又はＨＴＴＰＳの形式の情報にプロトコル変換する変換部２２２と、Ｗｅｂサーバ５０に格納された車両診断プログラムを前記第２のプロトコルに基づく通信により実行することが可能な通信端末３０に、前記プロトコル変換された車両情報を送信する通信部２２４と、を備え、前記変換部２２２は、前記通信端末３０から送信された情報を前記第１のプロトコルの形式の情報にプロトコル変換し、前記通信部２２４は、プロトコル変換された情報を前記車両１０に送信する車両診断用のプロトコル変換装置２０が提供される。【選択図】図３
2020061698.tif 000002
【特許請求の範囲】
【請求項１】
第１のプロトコルに基づく通信により車両から取得された前記車両を診断するために用いられる車両情報を、第２のプロトコルであるＨＴＴＰ又はＨＴＴＰＳの形式の車両情報にプロトコル変換する変換部と、
Ｗｅｂサーバに格納された車両診断プログラムを前記第２のプロトコルに基づく通信により実行することが可能な通信端末に、前記プロトコル変換された車両情報を送信する通信部と、
を備え、
前記変換部は、前記通信端末から前記第２のプロトコルに基づく通信により送信された情報を前記第１のプロトコルの形式の情報にプロトコル変換し、
前記通信部は、前記変換部によりプロトコル変換された前記第１のプロトコルの形式の情報を前記第１のプロトコルに基づく通信により前記車両に送信する、
プロトコル変換装置。
【請求項２】
前記第１のプロトコルは、ＯＢＤについて規格化された通信プロトコルである、請求項１に記載のプロトコル変換装置。
【請求項３】
ＯＢＤコネクタに接続される端子を更に備える、請求項１又は２に記載のプロトコル変換装置。
【請求項４】
車両から前記車両を診断するための車両情報を第１のプロトコルに基づく通信により取得する情報取得部と、
前記車両情報を、第２のプロトコルであるＨＴＴＰ又はＨＴＴＰＳの形式の車両情報にプロトコル変換する変換部と、
Ｗｅｂサーバに格納された車両診断プログラムを前記第２のプロトコルに基づく通信により実行することが可能な通信端末に、前記プロトコル変換された車両情報を送信する通信部と、
前記車両を診断するための車両診断プログラムを備えるＷｅｂサーバと、
を備え、
前記変換部は、前記通信端末から前記第２のプロトコルに基づく通信により送信された情報を前記第１のプロトコルの形式の情報にプロトコル変換し、
前記通信部は、前記変換部によりプロトコル変換された前記第１のプロトコルの形式の情報を前記第１のプロトコルに基づく通信により前記車両に送信する、
車両診断システム。
【発明の詳細な説明】
【技術分野】
【０００１】
本発明は、プロトコル変換装置及び車両診断システムに関する。
【背景技術】
【０００２】
従来、車両情報に基づいて、サーバが車両を診断するためのプログラムを実行することにより、車両を診断する技術が知られている。例えば、特許文献１には、通信端末が車両から取得した車両情報をサーバに送信し、当該サーバが診断アプリケーションを用いて当該車両情報を解析することにより車両を診断する技術が記載されている。
【先行技術文献】
【特許文献】
【０００３】
【特許文献１】特開２０１４−２１５０５２号公報
【発明の概要】
【発明が解決しようとする課題】
【０００４】
通信端末がＷｅｂサーバに車両診断プログラム等を実行させるためには、通信端末とＷｅｂサーバとが、ＨＴＴＰ（Ｈｙｐｅｒｔｅｘｔ  Ｔｒａｎｓｆｅｒ  Ｐｒｏｔｏｃｏｌ）又はＨＴＴＰＳ（Ｈｙｐｅｒｔｅｘｔ  Ｔｒａｎｓｆｅｒ  Ｐｒｏｔｏｃｏｌ  Ｓｅｃｕｒｅ）等のプロトコルを用いた通信を実施する必要がある。
【０００５】
一方、車両情報は、車両からＩ／Ｆ（インターフェース）に送信される。通信端末は、Ｉ／Ｆと通信することにより車両情報を取得する。従来、通信端末は、車両とＩ／Ｆとが通信するために用いられるプロトコルにより、Ｉ／Ｆと通信していた。
【０００６】
このとき、一般的には、車両とＩ／Ｆとが通信するために用いられるプロトコルは、通信端末とＷｅｂサーバとが通信するために用いられるプロトコルと異なる。従って、Ｉ／Ｆと通信端末とが通信するために用いられるプロトコルは、通信端末とＷｅｂサーバとが通信するために用いられるプロトコルと異なる。このため、通信端末は、Ｉ／Ｆから取得した車両情報を、Ｗｅｂサーバと通信可能な車両情報にプロトコル変換する必要がある。このため、通信端末は、車両情報をプロトコル変換することが可能な高い性能を有する必要があった。
【０００７】
しかし、特許文献１に記載の技術は、車両のＩ／Ｆと通信端末との通信に用いられるプロトコルと、通信端末とＷｅｂサーバとの通信に用いられるプロトコルの違いを考慮した技術ではない。
【０００８】
そこで、本発明は、上記問題に鑑みてなされたものであり、本発明の目的とするところは、車両のＩ／Ｆと通信端末とが通信するために用いられるプロトコルを、通信端末とＷｅｂサーバとが通信するためのプロトコルに一致させることが可能な、新規かつ改良された車両診断用のプロトコル変換装置及び車両診断システムを提供することにある。
【課題を解決するための手段】
【０００９】
上記課題を解決するために、本発明のある観点によれば、第１のプロトコルに基づく通信により車両から取得された前記車両を診断するために用いられる車両情報を、第２のプロトコルであるＨＴＴＰ又はＨＴＴＰＳの形式の車両情報にプロトコル変換する変換部と、Ｗｅｂサーバに格納された車両診断プログラムを前記第２のプロトコルに基づく通信により実行することが可能な通信端末に、前記プロトコル変換された車両情報を送信する通信部と、を備え、前記変換部は、前記通信端末から前記第２のプロトコルに基づく通信により送信された情報を前記第１のプロトコルの形式の情報にプロトコル変換し、前記通信部は、前記変換部によりプロトコル変換された前記第１のプロトコルの形式の情報を前記第１のプロトコルに基づく通信により前記車両に送信する、プロトコル変換装置が提供される。
【００１０】
前記第１のプロトコルは、前記第１のプロトコルは、ＯＢＤについて規格化された通信プロトコルであってもよい。
【００１１】
前記車両診断用のプロトコル変換装置は、ＯＢＤコネクタに接続される端子を更に備ええてもよい。
【００１２】
また、上記課題を解決するために、本発明の別の観点によれば、車両から前記車両を診断するための車両情報を第１のプロトコルに基づく通信により取得する情報取得部と、前記車両情報を、第２のプロトコルであるＨＴＴＰ又はＨＴＴＰＳの形式の車両情報にプロトコル変換する変換部と、Ｗｅｂサーバに格納された車両診断プログラムを前記第２のプロトコルに基づく通信により実行することが可能な通信端末に、前記プロトコル変換された車両情報を送信する通信部と、前記車両を診断するための車両診断プログラムを備えるＷｅｂサーバと、を備え、前記変換部は、前記通信端末から前記第２のプロトコルに基づく通信により送信された情報を前記第１のプロトコルの形式の情報にプロトコル変換し、前記通信部は、前記変換部によりプロトコル変換された前記第１のプロトコルの形式の情報を前記第１のプロトコルに基づく通信により前記車両に送信する、車両診断システムが提供される。
【発明の効果】
【００１３】
以上説明したように本発明によれば、車両のＩ／Ｆと通信端末とが通信するために用いられるプロトコルを、通信端末とＷｅｂサーバとが通信するためのプロトコルに一致させることが可能となる。
【図面の簡単な説明】
【００１４】
【図１】本発明の一実施形態に係る車両診断システム１の構成を示すブロック図である。
【図２】本発明の一実施形態に係るプロトコル変換部２２０の構成を示すブロック図である。
【図３】本発明の一実施形態に係るプロトコル変換装置２０の動作の一例について説明するための図である。
【図４】本発明の一実施形態に係る車両診断システム１の動作の一例について説明するための図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．車両診断システム＞
以下、本発明の一実施形態に係る車両診断システム１について図１〜３を用いて説明する。図１は、本発明の一実施形態に係る車両診断システム１の構成を示すブロック図である。車両診断システム１は、プロトコル変換装置２０及びＷｅｂサーバ５０を備える。車両１０を診断する際には、プロトコル変換装置２０は当該車両１０に接続される。また、プロトコル変換装置２０は、通信端末３０に有線又は無線により接続される。さらに、通信端末３０とＷｅｂサーバ５０とは、ネットワーク４０を介して接続される。
【００１７】
（プロトコル変換装置）
プロトコル変換装置２０は、車両１０と通信端末３０とが送受信することを可能にするために車両１０に接続されるＩ／Ｆである。プロトコル変換装置２０は、車両情報を車両１０から取得し、当該車両情報を第２のプロトコルであるＨＴＴＰ又はＨＴＴＰＳの形式の車両情報に変換して通信端末３０に送信する機能を有する。さらに、プロトコル変換装置２０は、通信端末３０から第２のプロトコルに基づく通信により取得した情報を第１のプロトコルの形式の情報に変換する機能を有する。プロトコル変換装置２０が有する機能は、プロトコル変換装置２０が備える車両情報取得部２１０及びプロトコル変換部２２０により実現される。
【００１８】
また、プロトコル変換装置２０には、ＯＢＤ（Ｏｎ−Ｂｏａｒｄ  Ｄｉａｇｎｏｓｔｉｃｓ）の規格に準拠した接続端子が設けられている。車両１０に設けられたＯＢＤコネクタと、プロトコル変換装置２０に設けられた当該接続端子とが接続されることにより、プロトコル変換装置２０と車両１０とが通信可能となる。なお、プロトコル変換装置２０と車両１０は、無線で接続されてもよい。
【００１９】
車両情報取得部２１０は、第１のプロトコルに基づく通信により、車両１０が有するメモリから車両情報を取得する機能を有する。車両情報は、例えば、エンジン回転速度、車両１０におけるエンジン等の各種のパーツの温度、トラブルコード等の各種の車両１０を診断するために用いられる情報であり得る。また、第１のプロトコルは、ＩＳＯ９１５１又はＳＡＥＪ１８５０等のＯＢＤについて規格化された通信プロトコルであり得る。なお、車両情報取得部２１０は、通信端末３０からの車両情報の要求に応じて、車両１０から車両情報を取得し得る。車両情報取得部２１０により取得された車両情報は、プロトコル変換部２２０に伝達される。
【００２０】
プロトコル変換部２２０は、第２のプロトコルに基づく通信により通信端末３０から情報を受信し、当該情報を第１のプロトコルの形式の情報にプロトコル変換する機能を有する。当該情報は、例えば、車両１０から車両情報を要求することを表す情報であり得る。さらに、プロトコル変換部２２０は、車両情報を第２のプロトコルの形式の車両情報にプロトコル変換し、通信端末３０に当該プロトコル変換された車両情報を送信する機能を有する。ここで、本発明の一実施形態に係るプロトコル変換部２２０の構成について、図２を用いてより詳細に説明する。
【００２１】
図２は、本発明の一実施形態に係るプロトコル変換部２２０の構成を示すブロック図である。プロトコル変換部２２０は、変換部２２２、通信部２２４、及び記憶部２３０を備える。
【００２２】
変換部２２２は、ＣＰＵ（Ｃｅｎｔｒａｌ  Ｐｒｏｃｅｓｓｉｎｇ  Ｕｎｉｔ）等のプロセッサであり得る。変換部２２２は、車両情報取得部２１０から伝達された車両情報を第２のプロトコルの形式の車両情報にプロトコル変換する機能を有する。さらに、変換部２２２は、第２のプロトコルの形式の情報を第１のプロトコルの形式の情報にプロトコル変換する機能を有する。なお、変換部２２２は、記憶部２３０により記憶されたプロトコルを変換するためのプロトコル変換プログラムに基づいて、当該プロトコル変換を実施する。プロトコル変換された車両情報は、通信部２２４を介して、通信端末３０に送信される。
【００２３】
記憶部２３０は、プログラム記憶部２３２及びデータ記憶部２３４を備える。データ記憶部２３４は、車両情報取得部２１０から伝達された車両情報を記憶する機能を有する。また、プログラム記憶部２３２は、車両情報をプロトコル変換するためのプロトコル変換プログラムを記憶する機能を有する。プロトコル変換プログラムは、第１のプロトコルの形式の車両情報を第２のプロトコルの形式の車両情報にプロトコル変換するための第１プログラムと、第２のプロトコルの形式の情報を第１のプロトコルの形式の情報にプロトコル変換するための第２プログラムとを含む。第１及び第２プログラムは、１つのプログラムであってもよいし、互いに異なるプログラムであってもよい。
【００２４】
（通信端末）
通信端末３０は、ＰＣ（Ｐｅｒｓｏｎａｌ  Ｃｏｍｐｕｔｅｒ）又はタブレット型の端末等であり得る。通信端末３０は、ネットワーク４０を介してＷｅｂサーバ５０と接続可能であり、Ｗｅｂサーバ５０からＷｅｂ画面データを受信可能である。ここで、Ｗｅｂ画面とは、ＷＷＷ（Ｗｏｒｌｄ  Ｗｉｄｅ  Ｗｅｂ）システムを利用したインターネット上で公開可能な画面である。また、Ｗｅｂ画面データは、テキストデータ、ＨＴＭＬ（Ｈｙｐｅｒ  Ｔｅｘｔ  Ｍａｒｋｕｐ  Ｌａｎｇｕａｇｅ）によるレイアウト情報、文書中に埋め込まれた画像、音声、又は動画等の情報により構成され得る。
【００２５】
通信端末３０は、Ｗｅｂブラウザを組み込んでおり、Ｗｅｂブラウザの機能により、Ｗｅｂサーバ５０から受信したＷｅｂ画面を通信端末３０が備える表示装置に表示させる。また、通信端末３０は、例えば車両１０から車両情報を取得するためのプログラムをＷｅｂサーバ５０から受信し、当該プログラムを用いて車両１０から車両情報を取得し得る。このように、通信端末３０がＷｅｂサーバ５０からプログラムを適宜取得し、当該プログラムを実行する。このため、車両１０を診断するための処理が通信端末３０とＷｅｂサーバ５０とで分担され、通信端末３０又はＷｅｂサーバ５０に過度な処理の負担が生じることが抑止される。
【００２６】
また、通信端末３０は、プロトコル変換装置２０から受信した車両情報をＷｅｂサーバ５０に送信可能である。また、作業者は、通信端末３０が有する入力装置を操作して車両診断プログラムの実行の要求をＷｅｂサーバ５０に送信することにより、Ｗｅｂサーバ５０に車両診断プログラムを実行させることが可能である。さらに、通信端末３０は、作業者が入力装置を操作することにより通信端末３０に入力された情報を、Ｗｅｂサーバ５０に送信することも可能である。Ｗｅｂサーバ５０は、当該情報に基づいて車両１０を診断し得る。ここで、入力装置は、マウス、キーボード又はタッチパネルなどの各種の公知の入力装置であり得る。
【００２７】
ここで、本発明の一実施形態に係るプロトコル変換装置２０の動作の一例について、図３を参照して説明する。より具体的には、プロトコル変換装置２０が、車両１０から取得した車両情報をプロトコル変換してから通信端末３０に送信するまでの手順について説明する。ここでは、一例として、通信端末３０の要求により、Ｗｅｂサーバ５０が車両診断プログラムを実行する場合について説明する。
【００２８】
まず、通信端末３０が、プロトコル変換装置２０が備えるプロトコル変換部２２０に対して、第２のプロトコルに基づく通信により、車両１０の診断に必要な車両情報を要求することを表す要求情報を送信する（ステップＳ１０１）。次に、プロトコル変換部２２０が、ステップＳ１０１において受信した要求情報を第２のプロトコルの形式の情報にプロトコル変換する（ステップＳ１０２）。さらに、プロトコル変換部２２０が車両情報取得部２１０に対して、第１のプロトコルに基づく通信により、要求情報を伝達する（ステップＳ１０３）。
【００２９】
次に、車両情報取得部２１０は、第１のプロトコルに基づく通信により、車両１０に要求情報を送信する（ステップＳ１０４）。次に、車両１０が車両情報取得部２１０に車両情報を送信し、車両情報取得部２１０が当該車両情報を受信する（ステップＳ１０５）。次に、車両情報取得部２１０は、受信した車両情報をプロトコル変換部２２０に伝達する（ステップＳ１０７）。
【００３０】
次に、プロトコル変換部２２０が、ステップＳ１０７において伝達された車両情報を第２のプロトコルであるＨＴＴＰ又はＨＴＴＰＳにプロトコル変換する（ステップＳ１０９）。プロトコル変換部２２０は、当該プロトコル変換された車両情報を通信端末３０に送信する（ステップＳ１１１）。なお、通信端末３０に送信された車両情報は、Ｗｅｂサーバ５０へ送信される。
【００３１】
以上、本発明の一実施形態に係るプロトコル変換装置２０の動作の一例について説明した。
【００３２】
（Ｗｅｂサーバ）
Ｗｅｂサーバ５０は、車両１０を診断するための車両診断プログラムを格納している。Ｗｅｂサーバ５０は、通信端末３０の要求に応じて、当該車両診断プログラムを実行することにより車両１０を診断する機能を有する。より具体的には、Ｗｅｂサーバ５０は、車両情報を通信端末３０から受信し、当該車両情報を用いて車両１０を診断する。また、Ｗｅｂサーバ５０は、診断した車両１０の車両情報又は診断結果などの情報を格納するデータベースを備える。さらに、Ｗｅｂサーバ５０は、当該データベースを検索する機能を有する。例えば、Ｗｅｂサーバ５０は、車両識別番号等の車両情報に基づいて、当該データベースから車両１０の診断結果等の情報を検索することができる。
【００３３】
Ｗｅｂサーバ５０は、ネットワーク４０を介して、必要に応じて、Ｗｅｂ画面を通信端末３０が備える表示装置に表示するためのＷｅｂ画面データを通信端末３０に送信する。通信端末３０がＷｅｂサーバ５０からＷｅｂ画面データを受信することにより、通信端末３０が備える表示装置にＷｅｂ画面が表示される。これにより、作業者は、Ｗｅｂサーバ５０が作成したＷｅｂ画面を閲覧可能となる。また、Ｗｅｂサーバ５０は、例えば車両１０から車両情報を取得するためのプログラムを通信端末３０に適宜送信し得る。すなわち、Ｗｅｂサーバ５０は、適宜、車両１０に診断に関わるプログラムを通信端末３０に送信する。当該プログラムは通信端末３０により実行され得る。
【００３４】
＜２．処理例＞
以上、本発明の一実施形態に係る車両診断システム１の構成について説明した。次に、本発明の一実施形態に係る車両診断システム１の動作について、図４に示すフローチャートに沿って説明する。ここでは、通信端末３０が備える入力装置の作業者による操作に応じてＷｅｂサーバ５０が車両診断プログラムを実行してから、車両１０の診断結果が通信端末３０が備える表示装置に表示されるまでの処理を説明する。
【００３５】
まず、通信端末３０が、ネットワーク４０を介してＷｅｂサーバ５０にアクセスし、車両診断プログラムを実行するためのＷｅｂ画面データを読み込む（ステップＳ２０１）。ここでは、例えば、作業者が、通信端末３０が備える入力装置を操作することにより、通信端末３０がＷｅｂ画面データをＷｅｂサーバ５０から受信する。これにより、通信端末３０が備える表示装置にＷｅｂ画面が表示される。例えば、当該表示装置には、車両診断プログラムを開始するための開始ボタン等が表示され得る。
【００３６】
次に、通信端末３０が、Ｗｅｂサーバ５０に格納された診断の対象となる車両のデータベースを検索し、Ｗｅｂサーバ５０から必要な車両情報を取得する。さらに、通信端末３０は、車両情報を取得するためのＷｅｂサーバ５０に格納されたプログラムを受信して実行する（ステップＳ２０３）。例えば、作業者がステップＳ２０１において表示装置に表示された開始ボタンを操作することにより、通信端末３０からネットワーク４０を介してＷｅｂサーバ５０に車両診断プログラムを実行する要求が送信される。これにより、車両診断プログラムが実行される。
【００３７】
次に、通信端末３０は、第２のプロトコルに基づく通信により、プロトコル変換装置２０に要求情報を送信する（ステップＳ２０５）。このとき、通信端末３０は、Ｗｅｂサーバ５０から要求情報を受信し、当該要求情報をプロトコル変換装置２０に送信してもよい。また、通信端末３０は、Ｗｅｂサーバ５０から要求情報を受信せずに、直接プロトコル変換装置２０に要求情報を送信してもよい。
【００３８】
次に、プロトコル変換部２２０が、ステップＳ２０５において受信した要求情報を第１のプロトコルの形式の要求情報にプロトコル変換する（ステップＳ２０６）。プロトコル変換された要求情報は、車両情報取得部２１０に伝達される。
【００３９】
次に、車両情報取得部２１０が、車両１０から車両情報を取得する（ステップＳ２０７）。より具体的には、車両情報取得部２１０が、第１のプロトコルに基づく通信により、車両１０に要求情報を送信し、当該車両１０から車両情報を取得する。取得された車両情報は、プロトコル変換部２２０に伝達される。
【００４０】
次に、プロトコル変換部２２０が車両情報をプロトコル変換する（ステップＳ２０９）。より具体的には、プロトコル変換部２２０が、ステップＳ２０７において取得された第１のプロトコルの形式の車両情報を、第２のプロトコルの形式の車両情報に変換する。
【００４１】
次に、プロトコル変換部２２０は、ステップＳ２０９においてプロトコル変換された車両情報を、第２のプロトコルに基づく通信により、通信端末３０に送信する（ステップＳ２１１）。さらに、通信端末３０に送信された車両情報は、ネットワーク４０を介して、第２のプロトコルに基づく通信により、Ｗｅｂサーバ５０に送信される。
【００４２】
次に、Ｗｅｂサーバ５０は、送信された車両情報を用いることにより、車両１０を診断する（ステップＳ２１３）。診断された結果に応じて、Ｗｅｂサーバ５０は、診断の結果を表すＷｅｂ画面データを通信端末３０に送信する。すると、通信端末３０が備える表示装置に診断結果が表示される（ステップＳ２１５）。これにより、作業者は車両１０の診断結果を確認することができる。
【００４３】
以上、本発明の一実施形態に係る車両診断システム１の動作について説明した。
【００４４】
＜３．効果＞
本実施形態では、通信端末３０が、第２のプロトコルに基づく通信により、車両情報を要求する要求情報をプロトコル変換装置２０に送信する（ステップＳ２０５）。プロトコル変換装置２０は、当該要求情報を第１のプロトコルの形式の要求情報にプロトコル変換する（ステップＳ２０６）。
【００４５】
また、プロトコル変換装置２０は、車両情報を第１のプロトコルに基づく通信により車両１０から取得する（ステップＳ２０７）。また、プロトコル変換装置２０は、車両１０から取得した車両情報を第２のプロトコルの形式の車両情報にプロトコル変換する（ステップＳ２０９）。また、プロトコル変換装置２０は、プロトコル変換された車両情報を第２のプロトコルに基づく通信により通信端末３０に送信する（ステップＳ２１１）。さらに、通信端末３０は、当該車両情報を第２のプロトコルに基づく通信により、ネットワーク４０を介してＷｅｂサーバ５０に送信する。
【００４６】
このように、プロトコル変換装置２０は、第２のプロトコルの形式の情報を第１のプロトコルの形式の情報、又は、第１のプロトコルの形式の車両情報を第２のプロトコルの形式の車両情報にプロトコル変換する。これにより、車両１０のＩ／Ｆであるプロトコル変換装置２０と通信端末３０とが通信するためのプロトコルが、通信端末３０とＷｅｂサーバ５０とが通信するためのプロトコルと一致する。
【００４７】
本実施形態では、プロトコル変換装置２０が各種の情報をプロトコル変換するため、通信端末３０は、プロトコルを変換するためのプログラムなどを備える必要がなくなる。従って、通信端末３０は、ウェブブラウザの機能を有していれば、Ｗｅｂサーバ５０に格納された車両診断プログラムを実行させることにより、車両１０を診断することができる。
【００４８】
また、本実施形態に係る車両診断システム１のユーザは、通信端末３０にプロトコルを変換するためのプログラムをインストールする手間が省けるため、ユーザはより簡易に車両１０を診断することが可能になる。
【００４９】
また、本発明の一実施形態に係る車両診断システム１が有する更なる効果について説明する。車両を診断する方法には、Ｗｅｂサーバ５０に格納された車両診断プログラムを実行する方法以外に、ＰＣ等の制御装置に車両診断プログラムをインストールし、当該車両診断プログラムを実行する方法がある。この場合、ＰＣにインストールされたプログラムが、プログラム提供者により修正されると、修正されたプログラムを改めてＰＣにインストールする必要が生じ得る。
【００５０】
本実施形態に係る車両診断システム１では、車両１０を診断するための車両診断プログラムがＷｅｂサーバ５０に格納され、当該車両診断プログラムはＷｅｂサーバ５０で実行されるため、ＰＣに車両診断プログラムをインストールする必要がない。このため、車両診断プログラムが修正される度に、車両診断プログラムをＰＣにインストールする手間が省かれる。
【００５１】
なお、車両情報を車両１０から取得するためのプログラムは通信端末３０で実行されるため、通信端末３０又はＷｅｂサーバ５０のいずれかに過度の処理の負担が生じることが抑止される。
【００５２】
以上のように、本実施形態に係る車両診断システム１では、通信端末３０がプロトコル変換するためのプログラム及び車両診断プログラムをインストールする必要がなくなる。このため、通信端末３０は、これらのプログラムを実行できる程度の高い性能が求められなくなるため、通信端末３０のためにかかるコストが低下し、より低いコストで車両１０を診断することが可能となる。
【００５３】
＜４．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５４】
本発明の一実施形態に係る車両診断システム１では、診断結果を表示する（ステップＳ２１５）ことにより車両１０の診断を終了したが、本発明はかかる例に限定されない。例えば、作業者が診断結果を参照し、通信端末３０が備える入力装置を用いてＷｅｂサーバ５０に情報を送信する。Ｗｅｂサーバ５０は当該情報に基づいて更に車両１０を診断してもよい。
【００５５】
また、本明細書のプロトコル変換装置２０の処理における各ステップは、必ずしもフローチャートとして記載された順序に沿って時系列に処理する必要はない。例えば、プロトコル変換装置２０の処理における各ステップは、フローチャートとして記載した順序と異なる順序で処理されても、並列的に処理されてもよい。
【符号の説明】
【００５６】
１０      車両
２０      プロトコル変換装置
２２０    プロトコル変換部
２１０    車両情報取得部
２２２    変換部
２２４    通信部
２３０    記憶部
２３２    プログラム記憶部
３０      通信端末
５０      Ｗｅｂサーバ
【図１】
2020061698.tif 000003
【図２】
2020061698.tif 000004
【図３】
2020061698.tif 000005
【図４】
2020061698.tif 000006